(57)【要約】      （修正有）【課題】面状照明装置の光エネルギーを有効利用して発電するようにしたソーラパネル装置を提供する。【解決手段】照明装置の光を受光して発電するようにしたソーラパネル装置において、裏面１２に光反射部１６が設けられ表面１１に微小凹状の光反射部１５が形成され表面１１から光を出射する導光板１０、及び導光板１０の側端面に配置され上記導光板１０に光を入射させる光源１４とを有する面状照明装置と、面状照明装置の表面側に貼着され上記導光板１０の表面から出射される光のうち、可視光の光の一部及び紫外光を受光して発電する透明ソーラパネル２０と、を備える。【選択図】図２
0003182752.tif 000002
【実用新案登録請求の範囲】
【請求項１】
照明装置の光を受光して発電するようにしたソーラパネル装置において、
裏面（１２）に光反射部（１６、１７、１８）が設けられ表面（１１）に微小凹状の光反射部（１５）が形成され表面（１１）から光を出射する導光板（１０）、及び導光板（１０）の側端面に配置され上記導光板（１０）に光を入射させる光源（１４）とを有する面状照明装置と、
該面状照明装置の表面に貼着され上記導光板（１０）の表面（１１）から出射される光のうち、可視光域外の光を受光して発電する透明ソーラパネル（２０）と、
を備えたことを特徴とするソーラパネル装置。
【請求項２】
上記導光板（１０）の裏面（１２）の光反射部（１６）は上記導光板の裏面に形成された微小凹状の光反射部である請求項１記載のソーラパネル装置。
【考案の詳細な説明】
【技術分野】
【０００１】
本考案はソーラパネル装置に関し、特に面状照明装置の光エネルギーを有効利用して発電するようにした装置に関する。
【背景技術】
【０００２】
蛍光灯背後のリフレクタにソーラパネルを取付け、蛍光灯からの光をソーラパネルで受け、ソーラパネルの起電力でコンデンサや充電池を充電し、蛍光灯器具のスイッチがＯＦＦされたとき、あるいは蛍光灯器具が消灯したときにコンデンサや充電池から非常灯や誘導灯に通電して点灯させ、電気エネルギーの有効利用を図ることが提案されている（特許文献１、特許文献２）。
【０００３】
本件出願人も、蛍光灯やＬＥＤ灯の光を効率よく受光して発電するようにしたソーラパネル装置を開発し出願するに至った（特許文献３、特許文献４）。
【０００４】
最近、透明ガラス板の一面に透明有機ＥＬ層を形成し、透明ガラス板の他面に透明ソーラパネル層を形成し、透明ソーラパネル層で発電した電力を蓄電装置に蓄電し、透明有機ＥＬ層の電源として使用するようにした有機ＥＬ装置が提案されている。
【０００５】
また、導光板の側端面にＬＥＤなどの光源を設け、導光板の表裏面に光反射部を設け、導光板内に光を入射させて光反射部で反射させ、光を導光板の前方に均一に出射させるようにした側面入射方式の面状照明装置が提案され実用化されている（特許文献５、特許文献６）。
【先行技術文献】
【特許文献】
【０００６】
【特許文献１】特開２０１０−１３５２０６号公報
【特許文献２】実用新案登録第３１４６８９４号公報
【特許文献３】国際公開第２０１２／００８１９４号
【特許文献４】国際公開第２０１２／１５３５５０号
【特許文献５】特開２００１−８４８２３号公報
【特許文献６】特開２００２−４０９５９号公報
【考案の概要】
【考案が解決しようとする課題】
【０００７】
本考案はかかる状況において、側面入射方式の面状照明装置の光エネルギーを有効利用して発電するようにしたソーラパネル装置を提供することを課題とする。
【課題を解決するための手段】
【０００８】
そこで、本考案に係るソーラパネル装置は、照明装置の光を受光して発電するようにしたソーラパネル装置において、裏面に光反射部が設けられ表面に微小凹状の光反射部が形成され表面から光を出射する導光板、及び導光板の側端面に配置され上記導光板に光を入射させる光源とを有する面状照明装置と、該面状照明装置の表面に貼着され上記導光板の表面から出射される光のうち、可視光域外の光を受光して発電する透明ソーラパネルと、を備えたことを特徴とする。
【０００９】
本考案の特徴の１つは裏面に光反射部が形成された側面入射方式の面状照明装置の表面に透明ソーラパネルを貼着し、面状照明装置の光をソーラパネルで受けて発電するようにした点にある。
【００１０】
これにより、側面入射方式の面状照明装置においても光エネルギーを有効利用して発電を行うことができる。
【００１１】
また、側面入射方式の面状照明装置の導光板は表裏面に光反射部が設けられていればよいが、導光板の表面の光反射部を凸状に形成すると、透明ソーラパネルと凸状光反射部の周囲との間に隙間ができ、光の出射効率や反射効率が低下するおそれがある。
【００１２】
そこで、導光板の表裏面に光反射部が形成された面状照明装置に本発明を適用する場合には、導光板の表面の光反射部は微小凹状の光反射部であるのがよく、透明ソーラパネルに起因する導光板の表面側における光の反射効率及び出射効率の低下を少なくできる。
【００１３】
導光板の裏面の光反射部は微小凹状の光反射部でもよく、反射板であってもよい。また、透明ソーラパネルはガラス板や硬質プラスチック板を基板に用いたソーラパネルでもよく、又軟質プラスチックフィルムなどを基板に用いたソーラパネルであってもよい。
【００１４】
面状照明装置の表面側に保護用の透明ガラス板や透明硬質プラスチック板などが設けられている場合にはこの透明ガラス板や透明硬質プラスチック板の外面や内面に透明ソーラパネルを貼着すればよい。
【図面の簡単な説明】
【００１５】
【図１】本考案に係るソーラパネル装置の好ましい実施形態を示す概略分解斜視図である。
【図２】上記実施形態における作用を説明するための要部断面図である。
【図３】第２の実施形態を示す要部断面図である。
【図４】第３の実施形態を示す要部断面図である。
【図５】第４の実施形態を示す要部断面図である
【考案を実施するための形態】
【００１６】
以下、本考案を図面に示す具体例に基づいて詳細に説明する。図１及び図２は本考案に係るソーラパネル装置の好ましい実施形態を示す。図において、ソーラパネル装置は面状照明装置と透明ソーラパネル２０とから構成されている。
【００１７】
面状照明装置は導光板１０を含み、導光板１０は例えばガラス材料や合成樹脂材料で作製され、導光板１０の表面１１及び裏面１２には微小凹状の光反射部１５、１６が表裏面のほぼ全面にわたって形成されている。
【００１８】
また、導光板１０の側端面には線状の光源１４が設けられ、光源１４はカバー１３が覆われている。この光源１４は例えば蛍光灯や複数のＬＥＤを線状に配列したＬＥＤ灯によって構成されることができる。
【００１９】
さらに、導光板１０の表面には透明ソーラパネル２０が貼着されている。この透明ソーラパネル２０は例えば第１、第２の透明電極層の間に、ｐ型透明半導体層とｎ型透明半導体層の積層体から構成されることができる。この第１の透明電極層には例えばスズドープ酸化インジウムなどが用いられ、第２の透明電極層には例えば酸化スズなどが用いられ、ｐ型透明半導体層には例えばｐ型銅アルミ酸化物半導体層が用いられ、ｎ型透明半導体層には例えばｎ型酸化亜鉛半導体層が用いられることができる。
【００２０】
また、透明ソーラパネル２０には第１、第２の透明電極層の間に、ｐ＋型透明半導体層とｎ−型透明半導体層の積層体から構成されることができる。ｐ＋型透明半導体層には例えばｐ＋型多結晶シリコンが用いられ、ｎ−型透明半導体層には例えばｎ−型多結晶シリコンが用いられることができる。その他、公知の透明ソーラパネルを採用することができる。
【００２１】
光源１４を点灯させると、光が導光板１０の側面から入射され、この光は導光板１０の表裏面１１、１２の光反射部１５、１６で次々と反射され、導光板１０の表面から前方に出射される。
【００２２】
導光板１０から出射された光は透明ソーラパネル２０を透過し、その際、紫外光及び可視光の光の一部が透明ソーラパネル２０に吸収されて発電される。
【００２３】
図３は第２の実施形態を示し、図において図１及び図２と同一符号は同一又は相当部分を示す。本例で導光板１０の裏面に複数の微小反射片１７を貼着することによって光反射部を形成している。
【００２４】
図４は第３の実施形態を示し、図において図１及び図２と同一符号は同一又は相当部分を示す。本例で導光板１０の裏面に反射板１８を貼着することによって光反射部を形成している。
【００２５】
図５は第４の実施形態を示し、図において図１及び図２と同一符号は同一又は相当部分を示す。本例で導光板１０の表面１１側に保護用の透明ガラス板３０が設けられ、この透明ガラス板３０の表面に透明ソーラパネル２０が貼着されている。なお、透明ソーラパネル２０はガラス板３０の内面側に貼着するようにしてもよい。
【符号の説明】
【００２６】
１０      導光板
１１      表面
１２      裏面
１４      光源
１５、１６、１７、１８      光反射部
２０      透明ソーラパネル
【図１】
0003182752.tif 000003
【図２】
0003182752.tif 000004
【図３】
0003182752.tif 000005
【図４】
0003182752.tif 000006
【図５】
0003182752.tif 000007